(57)【要約】【課題】安定性が高く、昇降する高低差の大きい作業台装置を提供する。【解決手段】高さ調整可能な作業台装置１である。作業台装置１は、人又は物が載置される作業台２と、作業台２を支持する上フレーム３と、上フレーム３の下方に配置される下フレーム４と、上フレーム３と下フレーム４とを連繋する、第１のＸ字型リンク枠５及び第２のＸ字型リンク枠６と、を備える。そして、第１のＸ字型リンク枠５と第２のＸ字型リンク枠６とが互いに交差するようになっている。【選択図】図５
2015127262.tif 000002
【特許請求の範囲】
【請求項１】
高さ調整可能な作業台装置であって、
人又は物が載置される作業台と、
前記作業台を支持する上フレームと、
前記上フレームの下方に配置される下フレームと、
前記上フレームと前記下フレームとを連繋する、Ｘの交点を介して開閉する第１のＸ字型リンク枠及び第２のＸ字型リンク枠と、を備え、
前記第１のＸ字型リンク枠と前記第２のＸ字型リンク枠とが、互いに交差できるように構成されている、作業台装置。
【請求項２】
前記第１のＸ字型リンク枠の奥行方向の幅は、前記第２のＸ字型リンク枠の奥行方向の幅よりも広くされ、奥行方向で前記第１のＸ字型リンク枠の内側において前記第２のＸ字型リンク枠が開閉するようになっている、請求項１に記載の作業台装置。
【請求項３】
前記第１のＸ字型リンク枠の奥行方向の幅は、前記第２のＸ字型リンク枠の奥行方向の幅と略同一にされ、互いに奥行方向にずれて配置され、開閉するようになっている、請求項１に記載の作業台装置。
【請求項４】
前記第１のＸ字型リンク枠及び前記第２のＸ字型リンク枠のそれぞれは、外側に配置される上下４つの支点がそれぞれ前記上フレーム及び前記下フレームに回転可能に取り付けられ、内側に配置される上下４つの支点がそれぞれ前記上フレーム及び前記下フレームに沿ってスライド可能に取り付けられ、
前記第１のＸ字型リンク枠の内側の上下４つの支点は、前記第２のＸ字型リンク枠の内側の上下４つの支点よりも前記第２のＸ字型リンク枠の外側の上下４つの支点に近い側でスライド可能になっているとともに、
前記第２のＸ字型リンク枠の内側の上下４つの支点は、前記第１のＸ字型リンク枠の内側の上下４つの支点よりも前記第１のＸ字型リンク枠の外側の上下４つの支点に近い側でスライド可能になっている、請求項１乃至請求項３のいずれか一項に記載の作業台装置。
【請求項５】
前記第１のＸ字型リンク枠の内側に配置される上下４つのスライド可能な支点は、前記第２のＸ字型リンク枠の内側に配置される上下４つのスライド可能な支点と、共通の溝に嵌め込まれることによって、
前記第１のＸ字型リンク枠の内側の上下４つの支点は、前記第２のＸ字型リンク枠の内側の上下４つの支点よりも前記第２のＸ字型リンク枠の外側の支点から遠い側に移動しないようになっている、請求項４に記載の作業台装置。
【請求項６】
前記第１のＸ字型リンク枠及び第２のＸ字型リンク枠のそれぞれは、前記上フレームと前記下フレームの間に左右に配置され、各Ｘ字型リンク枠の左右の一方の上下の先端が、前記上フレーム及び前記下フレームの外端部に回転可能に取付けられ、他方の上下の先端が前記上フレーム及び前記下フレームに沿ってスライド可能に取付けられた請求項４に記載の作業台装置。
【請求項７】
前記Ｘ字型リンク枠は開閉する際に干渉する枠体であり、前記枠体はあらかじめ交差させられ、前記他方の上下の先端が同一の溝に嵌め込まれることによって、前記第１のＸ字型リンク枠の内側の上下４つの支点は、前記第２のＸ字型リンク枠の内側の上下４つの支点よりも前記第２のＸ字型リンク枠の外側の支点から遠い側に移動しないようになっている、請求項１乃至請求項４のいずれか一項に記載の作業台装置。
【請求項８】
前記Ｘ字型リンク枠は開閉する際に干渉しない枠体であり、前記もう一方の先端が別々の溝に嵌め込まれ、前記第１のＸ字型リンク枠と前記第２のＸ字型リンク枠が交差したり互いにすり抜けて分離したりするようになっている、請求項１乃至請求項４のいずれか一項に記載の作業台装置。
【請求項９】
前記第１のＸ字型リンク枠は、前面側の第１のＸ字型リンク及び背面側の第１のＸ字型リンクを有し、前記前面側の第１のＸ字型リンクと前記背面側の第１のＸ字型リンクとを互いに接続する第１の軸と、
前記第２のＸ字型リンク枠は、前面側の第２のＸ字型リンク及び背面側の第２のＸ字型リンクを有し、前記前面側の第２のＸ字型リンクと前記背面側の第２のＸ字型リンクとを互いに接続する第２の軸であって、前記第１の軸とスライド方向に対称な位置に配置される第２の軸と、
前記第１の軸に固定される第１のナットと、
前記第２の軸に固定される第２のナットであって、前記第１のナットとスライド方向に対称な位置に配置される第２のナットと、
前記第１のナット及び前記第２のナットに螺合するネジ軸棒であって、長さの中央近傍でネジ溝が正方向から逆方向に反転しているネジ軸棒と、
前記ネジ軸棒を回転させる回転手段と、
をさらに備える、請求項１乃至請求項８のいずれか一項に記載の作業台装置。
【請求項１０】
請求項１乃至請求項９のいずれか一項に記載された第１の作業台装置の上フレームの上に、請求項１乃至請求項９のいずれか一項に記載された別の第２の作業台装置の下フレームを重ねて構成される、作業台装置の積層構造。
【請求項１１】
前記第１の作業台装置の前記第１のＸ字型リンク枠の内側の上側の支点は、前記第２の作業台装置の前記第１のＸ字型リンク枠の内側の下側の支点と連繋されて一体にスライド移動し、
前記第１の作業台装置の前記第２のＸ字型リンク枠の内側の上側の支点は、前記第２の作業台装置の前記第２のＸ字型リンク枠の内側の下側の支点と連繋されて一体にスライド移動する、請求項１０に記載の作業台装置の積層構造。
【請求項１２】
作業台、昇降台車、エレベータ、又は、仮設足場である、請求項１乃至請求項９のいずれか一項に記載の作業台装置又は請求項１０若しくは請求項１１に記載の作業台装置の積層構造。
【発明の詳細な説明】
【技術分野】
【０００１】
本発明は、高さ調整可能な作業台装置に関するものである。
【背景技術】
【０００２】
従来、高い場所での作業に使用する脚立、踏み台、梯子等（以下、「脚立等」という）には、一般的に作業者が昇降するための固定されたステップが付いている。
【０００３】
作業者が上下縦方向に移動する場合には、作業者はステップを一段ずつ昇降する。ステップを昇降する際に、作業者はステップを踏み外さないように注意しながら昇降する。また、作業者がステップに載った状態で、手足や背を伸縮したり、腰をかがめたりして、手の届く範囲で作業をする。
【０００４】
一方、脚立等を使って、横方向に移動する場合には、ステップの範囲が狭いため、ステップ上では横方向の移動ができない。そうすると、作業者はその都度、地面まで降りて脚立等を横に移動させた後に、再度、ステップを昇り直すことになるため面倒であった。
【０００５】
例外として、図１に示すような、上部に横長の台を具備した台形の脚立であれば、作業者が台上で横に移動することで一定幅の横方向の作業ができる。
【０００６】
しかし、図１に示す従来の構造では、台の高さを変えられないため、高さ方向の作業範囲については、固定された高さから届く範囲しか作業ができない、という問題があった。
【０００７】
高い場所で上下左右の縦横両方向に作業できるようにするには、作業者が載るゴンドラをアームやワイヤで持ち上げる方法、又は井桁状にパイプを組んで仮設足場を形成する方法などが一般的である。
【０００８】
ゴンドラをアーム等で持ち上げるためには、重機等の大きな装備が必要であり、また、現状では足場を組み上げるのも大掛かりな作業になる。いずれにしても、作業をするために相当の費用がかかってしまう。さらに、重機等は設置場所の制約も多い。
【０００９】
また、現状では、図２のように、下部に車輪がついた台又は箱が、Ｘの中心を介して開閉するＸ字型リンク枠に下方から支持され、Ｘ字型リンク枠の開閉によって台又は箱が上下に昇降する、垂直昇降型の高所作業車がある。また、下部に車輪がない場合もあるが、台の昇降方法についてはＸ字型リンク枠を用いた同様の構造の昇降作業台もある。
【００１０】
これらは、正面から見ると、Ｘ字型リンクを正面及び背面に配置した単体のＸ字型リンク枠が縦に積まれている構造である。したがって、正面及び背面の単体のＸ字型リンクに荷重が分散されているに過ぎず、Ｘ字型リンク枠の構成部材として強度の高い部材を用いる必要があるため、重厚な装備となっている。
【００１１】
しかも、単体のＸ字型リンク枠が縦に積み重なっている構造のため、台又は箱の高さを高くした状態では、支持するＸ字型リンク枠が棒状になり、不安定な構造となる。これを避けるためには、Ｘ字型リンク枠が閉じすぎないように、Ｘ字型リンク枠の少しの開閉で上下の高さを稼ぐ必要がある。
【００１２】
このため、Ｘ字型リンク枠の１つ１つの部材の長さを短くして、多数段を積み重ねる構造にしなくてはならず、このことも装備が重厚となる要因となっている（例えば、特許文献１を参照）。
【００１３】
さらに、現状では、図３のように、支柱等に沿って台を移動させて台を昇降させる方法がある。この装置であれば、取り扱いは容易だが、足場は狭いうえに、梯子や支柱をしっかりと固定しなければ危険性が高い、横幅が狭いため動ける範囲が狭い、といった問題がある。このため、現状では、人間を載せるよりも、物を載せて昇降する手段として多く使われている。
【先行技術文献】
【特許文献】
【００１４】
【特許文献１】特開２００８−１６２３６５号公報
【発明の概要】
【発明が解決しようとする課題】
【００１５】
本発明は、上述したような事情に鑑み、高い場所における縦方向及び横方向の作業において、従来の脚立等のように、作業者が狭いステップ上で作業するのではなく、一定の幅と長さをもった支持が安定した台の上で作業ができ、また、作業者自身がステップに足をかけて昇降するのではなく、作業台自体が昇降し、作業者は昇降する作業台の上に載ったまま作業できるようにした、しかも、構造がシンプルで取扱いが簡便な作業台装置を提供することを目的としている。
【課題を解決するための手段】
【００１６】
前記目的を達成するために、本発明の作業台装置は、高さ調整可能な作業台装置であって、人又は物が載置される作業台と、前記作業台を支持する上フレームと、前記上フレームの下方に配置される下フレームと、前記上フレームと前記下フレームとを連繋する、第１のＸ字型リンク枠及び第２のＸ字型リンク枠と、を備え、前記第１のＸ字型リンク枠と前記第２のＸ字型リンク枠とが、互いに交差できるように構成されている。
【発明の効果】
【００１７】
このように、本発明の作業台装置は、高さ調整可能な作業台装置であって、人又は物が載置される作業台と、作業台を支持する上フレームと、上フレームの下方に配置される下フレームと、上フレームと下フレームとを連繋する、第１のＸ字型リンク枠及び第２のＸ字型リンク枠と、を備え、第１のＸ字型リンク枠と第２のＸ字型リンク枠とが、互いに交差できるように構成されている。
【００１８】
このような構成によって、作業に合わせて作業台の高さを調整でき、かつ、作業に必要な幅と長さをもった作業台を安定して支持できる。さらに、交差するＸ字型リンク枠のＸの径の長さを、台の長さ程度まで長くできるため、高低差を大きくとることができる。
【図面の簡単な説明】
【００１９】
【図１】従来の脚立である。
【図２】従来の移動タイプの作業台である。（ａ）はＸ字型リンク枠を折りたたんだ状態であり、（ｂ）はＸ字型リンク枠を伸張した状態である。
【図３】従来のリフターである。
【図４】単体の不安定なＸ字型リンク枠の説明図である。（ａ）は中央に寄っている状態であり、（ｂ）は片方に寄っている状態である。
【図５】実施例１の作業台装置の全体構成を説明する説明図である。（ａ）は分解斜視図であり、（ｂ）はＸ字型リンク枠が閉じた状態であり、（ｃ）はＸ字型リンク枠が開いた状態である。
【図６】比較例の作業台装置の構成を説明する正面視の説明図である。（ａ）はＸ字型リンク枠が開いた状態であり、（ｂ）はＸ字型リンク枠が閉じた状態である。
【図７】２つのＸ字型リンク枠の幅を変えて、Ｘ字型リンク枠を交差させる方法について説明する上面視の説明図である。（ａ）はＸ字型リンク枠が閉じた状態であり、（ｂ）はＸ字型リンク枠が開いた状態である。
【図８】２つのＸ字型リンク枠を前後にずらして、Ｘ字型リンク枠を交差させる方法について説明する上面視の説明図である。（ａ）はＸ字型リンク枠が閉じた状態であり、（ｂ）はＸ字型リンク枠が開いた状態である。
【図９】Ｘ字型リンク枠のさまざまな形態を説明する説明図である。
【図１０】比較例の作業台装置の構成を説明する正面視の説明図である。（ａ）は、左右のＸ字型リンク枠を別々のフレームに接続した場合であり、（ｂ）は左右のＸ字型リンク枠のフレームとの回転可能な支点が一方は外側で他方は内側の場合であり、（ｃ）は左右のＸ字型リンク枠とフレームとの回転可能な支点が両方とも内側にある場合であり、（ｄ）は左右のＸ字型リンク枠がフレームの中央点を越えて閉じることができる場合である。
【図１１】実施例１の作業台装置の構成を説明する正面視の説明図である。
【図１２】フレームの構成を説明する説明図である。（ａ）は全体斜視図であり、（ｂ）は部分断面図である。
【図１３】高さ調整機構の構造を説明する説明図である。（ａ）は全体斜視図であり、（ｂ）は構造を模式的に示した模式図である。
【図１４】実施例２の作業台装置を重ねて構成される作業台装置の積層構造である。
【図１５】実施例２のエレベータである。（ａ）はＸ字型リンク枠が開いて低くなった状態であり、（ｂ）はＸ字型リンク枠が閉じて高くなった状態である。
【図１６】実施例２の作業台装置の構成を説明する説明図である。（ａ）は正面図であり、（ｂ）及び（ｃ）は同一平面内にフレームがある場合の断面図である。
【図１７】２つのＸ字型リンク枠の幅を変えて、すり抜けさせる方法について説明する上面視の説明図である。（ａ）はＸ字型リンク枠が閉じた状態であり、（ｂ）はＸ字型リンク枠が開いた状態である。
【図１８】２つのＸ字型リンク枠を前後にずらして、すり抜けさせる方法について説明する上面視の説明図である。（ａ）はＸ字型リンク枠が閉じた状態であり、（ｂ）はＸ字型リンク枠が開いた状態である。
【図１９】実施例３の仮設足場の説明図である。（ａ）は設置前の正面図であり、（ｂ）は設置完了後の正面図であり、（ｃ）は設置完了後の側面図である。
【発明を実施するための形態】
【００２０】
以下、本発明の実施の形態について図面を参照して説明する。
【実施例１】
【００２１】
まず、図５（ａ）、（ｂ）、（ｃ）を用いて本実施例の作業台装置１の全体構成を説明する。以下、明細書の図面において、黒丸は回転可能な支点（例えば、ヒンジ）であり、白丸はスライド移動可能な支点（例えば、レールに沿って移動する車輪）である。
【００２２】
本実施例の作業台装置１は、高さ調整可能な作業台装置１である。そして、作業台２と、作業台２を支持する上フレーム３と、上フレーム３の下方に配置される下フレーム４と、上フレーム３と下フレーム４とを連繋する、第１のＸ字型リンク枠５及び第２のＸ字型リンク枠６と、を備えている。
【００２３】
ここにおいて、本実施例の「Ｘ字型リンク枠」とは、２つのＸ字型リンクを正面側と背面側に重なるように配置したうえで、２つのＸ字型リンクを互いに連結して構成される枠構造であって、回転軸位置を軸等で連結する場合には対応するＸの端部位置を連結した枠構造でも連結しない枠構造でもよいが、回転軸位置を軸等で連結しない場合には少なくとも２か所の対応するＸの端部位置を軸等によって連結した枠構造をいうものと定義する（後述の図９を参照）。したがって、周囲を包囲するような日字状の完全な枠構造だけではなく、Ｈ字状やロ字状やコ字状のものも含む。さらに、それぞれのＸ字型リンクとは、長さの等しい２つの棒状のリンク部材を長さの中央で重ねて、重なった中央に回転軸を挿通して、回転軸を中心として回転できるようにした構成をいうものと定義する。
【００２４】
作業台２は、人又は物などを載せるための台である。作業台２は、上フレーム３の上面に載置されて、上フレーム３に固定されている。なお、図示しないが、人や物が落ちないように柵や手すりなどを周囲に配置することもできる。その場合には、入口扉を設けることもできる。
【００２５】
上フレーム３は、コ字状の断面を有する金属製の枠部材を、矩形に組み立てることによって構成される。コ字状の枠部材の長辺には、Ｘ字型リンク枠５、６の内側に配置される上側の４つの支点５２、５２、６２、６２が嵌め込まれており、枠部材に沿ってスライドできるようになっている。また、長辺の端部には、Ｘ字型リンク枠５、６の外側の４つの支点５１、５１、６１、６１が回転可能に支承されている。
【００２６】
同様に、下フレーム４は、コ字状の断面を有する金属製の枠部材を、矩形に組み立てることによって構成される。コ字状の枠部材の長辺には、Ｘ字型リンク枠５、６の内側に配置される下側の４つの支点５４、５４、６４、６４が嵌め込まれており、枠部材に沿ってスライドできるようになっている。また、長辺の端部には、Ｘ字型リンク枠５、６の外側の４つの支点５３、５３、６３、６３が回転可能に支承されている。
【００２７】
そして、上フレーム３と下フレーム４とが、第１のＸ字型リンク枠５及び第２のＸ字型リンク枠６によって連繋されている。
【００２８】
第１のＸ字型リンク枠５は、２つのＸ字型リンク５０、５０を前面側と背面側に配置して、中心軸５７及びＸの先端どうしを結ぶ軸で連結して完全な枠体として構成される。各Ｘ字型リンク５０は、２つのリンク部材５５、５６をＸ字型に交差させて、交点に回転軸を挿通して構成される。したがって、リンク部材５５、５６は、交点を中心として互いに回転する。リンク部材５５、５６は、閉じた状態、すなわち水平方向の幅が狭くなった状態で垂直方向の高さが高くなり、開いた状態、すなわち水平方向の幅が広くなった状態で垂直方向の高さが低くなる。
【００２９】
そして、一方のリンク部材５５の上端の支点５１が上フレーム３の長辺の端部に回転可能に取り付けられ、下端の支点５４が下フレーム４に移動可能に取り付けられている。さらに、他方のリンク部材５６の上端の支点５２が上フレーム３に移動可能に取り付けられ、下端の支点５３が下フレーム４の長辺の端部に回転可能に取り付けられている。このように、支点５１、５３が長辺の端部に取り付けられることで、台の長さに応じて上下昇降の差を最大にとることができる。さらに、第１のＸ字型リンク枠５は、後述する第２のＸ字型リンク枠６と比べて、中心軸５７の長さが長く、奥行方向の長さ（幅）が広くなっている。これにより、Ｘ字型リンク枠どうしが互いに交差する。
【００３０】
同様に、第２のＸ字型リンク枠６は、２つのＸ字型リンク６０、６０を前面側と背面側に配置して、中心軸６７及びＸの先端どうしを結ぶ軸で連結して完全な枠体として構成される。各Ｘ字型リンク６０は、２つのリンク部材６５、６６をＸ字型に交差させて、交点に回転軸を挿通して構成される。したがって、リンク部材６５、６６は、交点を中心として互いに回転する。リンク部材６５、６６は、閉じた状態、すなわち水平方向の幅が狭くなった状態で垂直方向の高さが高くなり、開いた状態、すなわち水平方向の幅が広くなった状態で垂直方向の高さが低くなる。
【００３１】
そして、一方のリンク部材６５の上端の支点６１が上フレーム３の長辺の端部に回転可能に取り付けられ、下端の支点６４が下フレーム４に移動可能に取り付けられている。さらに、他方のリンク部材６６の上端の支点６２が上フレーム３に移動可能に取り付けられ、下端の支点６３が下フレーム４の長辺の端部に回転可能に取り付けられている。このように、支点６１、６３が長辺の端部に取り付けられることで、台の長さに応じて上下昇降の差を最大にとることができる。さらに、第２のＸ字型リンク枠６は、前述した第１のＸ字型リンク枠５と比べて、中心軸６７の長さが短く、奥行方向の長さ（幅）が狭くなっている。これにより、Ｘ字型リンク枠どうしが互いに交差する。
【００３２】
このように、第１のＸ字型リンク枠５及び第２のＸ字型リンク枠６のそれぞれは、外側に配置される上下４つの支点５１、５１、５３、５３（６１、６１、６３、６３）がそれぞれ上フレーム３の長辺の端部及び下フレーム４の長辺の端部に回転可能に取り付けられている。さらに、それぞれ内側に配置される上下４つの支点５２、５２、５４、５４（６２、６２、６４、６４）がそれぞれ上フレーム３及び下フレーム４に沿ってスライド可能に取り付けられている。
【００３３】
さらに、Ｘ字型リンク枠５、６は、正面側のＸ字型リンク５０、６０と背面側のＸ字型リンク５０、６０とが、第１の中心軸５７、第２の中心軸６７及びＸの対応する先端どうしを結ぶ軸によって互いに連結されている。このため、Ｘ字型リンク枠５、６の全体として、完全な枠体となるから、特に剛性が大きくなる。なお、Ｘ字型リンク枠５、６は、日字状、ロ字状、コ字形状の枠構造、又はＨ字状の枠構造であればよく、枠構造とすることによってそれぞれのＸ字型リンク枠５、６の剛性を高めることができる。
【００３４】
第１のＸ字型リンク枠５の内側の上下４つの支点５２、５２、５４、５４は、第２のＸ字型リンク枠６の内側の上下４つの支点６２、６２、６４、６４よりも第２のＸ字型リンク枠６の外側の支点６１、６１、６３、６３に近い側でスライド可能になっている。他方、第２のＸ字型リンク枠６の内側の上下４つの支点６２、６２、６４、６４は、第１のＸ字型リンク枠５の内側の上下４つの支点５２、５２、５４、５４よりも第１のＸ字型リンク枠５の外側の支点５１、５１、５３、５３に近い側でスライド可能になっている。
【００３５】
これらの構成によって、第１のＸ字型リンク枠５と第２のＸ字型リンク枠６とが互いに交差するようになっている。具体的には、第１のＸ字型リンク枠５のリンク部材５５が、第２のＸ字型リンク枠６のリンク部材６５の幅方向の外側で交差するとともに、第１のＸ字型リンク枠５のリンク部材５６が、第２のＸ字型リンク枠６のリンク部材６６の幅方向の外側で交差する。すなわち、幅の広い第１のＸ字型リンク枠５の内部空間において、幅の狭い第２のＸ字型リンク枠６が開閉移動するのである。
【００３６】
上述のように、左右２つのＸ字型リンク枠５、６を交差させることによって、台全体の支持範囲が狭まることはないから、Ｘ字型リンク枠５、６が閉じた状態で不安定になることを防止できる。逆に言うと、図４に示すように、正面と背面に一対のＸ字型リンクを重なるように配置した単体のＸ字型リンク枠だけの場合、Ｘ字型リンク枠が閉じた状態の形態が細くなる。そうすると、台を支持する全体の安定性が損なわれることになる。
【００３７】
これに対して、本実施例の作業台装置１を用いれば、Ｘ字型リンク枠５、６が閉じた状態でも、台は常に上下フレームの左右の端部を含む４点で支持されるうえ、台の重心は常に中央にあるため、作業台装置１の安定性を高くすることができる。
【００３８】
（Ｘ字型リンク枠を交差させる方法について）
次に、左右のＸ字型リンク枠５、６を、各Ｘ字型リンク枠５、６が開閉する際に干渉せずに交差させる方法について説明する。
【００３９】
一般的に左右２つの同じ大きさのＸ字型リンク枠５、６を互いに近接して配置し、Ｘ字型リンク枠５、６を開閉すると、当然ながらすぐに干渉しあって動かなくなってしまう。単純に干渉しないようにするには、図６（ａ）、（ｂ）のようにＸ字型リンク枠５、６どうしを相当離せばよいが、そうすると最上部の作業台が上下できる高さに比較して、作業台やフレームの長さを相当長くする必要がある。
【００４０】
近接するＸ字型リンク枠５、６を干渉させず一定幅を交差させる方法はいくつかあるが、本実施例では（１）Ｘ字型リンク枠５、６それぞれが頑丈な枠体を形成し、（２）Ｘ字型リンク枠５、６の開閉による高さの差がある程度大きくとれ、（３）左右のＸ字型リンク枠５、６の同期がとれ、（４）同じ構造のものを積み重ねることが可能である、という利点を兼ね備える構造として、上面視の図７（ａ）、（ｂ）のような構造を採用した。（ａ）はＸが閉じた場合であり、（ｂ）はＸが開いた場合である。
【００４１】
すなわち、左右のＸ字型リンク枠５、６の幅（奥行）を変えて、一方を外枠とし、他方を内枠として、奥行方向にみて内枠が外枠の内側に入れる大きさとするか（図７）、又は、上面視の図８（ａ）、（ｂ）に示すように、同じ大きさにする場合は左右のＸ字型リンク枠５、６をＸ字型リンク枠５、６の部材の太さ以上前後にずらして配置して、Ｘ字型リンク枠５、６どうしの交差を可能とする。
【００４２】
さらに、左右それぞれのＸ字型リンク枠５、６は、前後のＸ字型リンク５０、６０どうしを中心軸５７及び中心軸６７及び先端どうしを結ぶすべての軸によって連結することで、完全な枠構造を構成するため、特に剛性の高い枠体となる。
【００４３】
そして、左右のＸ字型リンク枠５、６の移動する上側の支点５２、５２、６２、６２をあらかじめ交差させ、かつ、下側の支点５４、５４、６４、６４をあらかじめ交差させる構成を採用する。この構成によれば、Ｘ字型リンク枠５、６の先端どうしがあらかじめ交差しているので、互いに交差しはじめた状態以降の反対側がＸ字型リンク枠５、６の先端の移動範囲になるため、Ｘ字型リンク枠５、６の内側の支点５２、６２、５４、６４どうしが中央付近で干渉しあう寸前が最も閉じた状態になる。すなわち、上部の作業台２が最高の高さとなる。
【００４４】
そして、この構成であれば、左右それぞれのＸ字型リンク枠５、６の移動範囲が、上フレーム３又は下フレーム４の中央付近の位置で制限されるため、それ以上にＸ字型リンク枠５、６が閉じて棒状になることがない。逆に、左右のＸ字型リンク枠５、６は常に交差しているため、互いに離れ離れになることもない。つまり、Ｘ字型リンク枠５、６どうしが開閉交差しても、左右のＸ字型リンク枠５、６の高さが相違することがない。
【００４５】
なお、交点を介して開閉する枠構造のＸ字型リンク枠５、６は、図９（ａ）、（ｂ）、（ｃ）、（ｄ）のように、前後に対称をなす２つのＸのそれぞれ少なくとも２つの先端どうしを横軸棒で連結したものであってもよく、必ずしもＸの中心どうしを中心軸５７、６７で連結したものでなくてもよい。図９において、破線は中央軸がないことを示す。
【００４６】
（作業台の昇降度合について）
ここで、Ｘ字型リンク枠５、６の開閉による作業台２の昇降範囲について考察する。左右のＸ字型リンク枠５、６の部材長を矩形の上フレーム３及び下フレーム４の長辺の長さと略同一とすると、作業台２をフレーム３、４の長さの約３／４の長さに相当する高さまで上昇させることができ、約１／５の高さまで下降させることができる。このように、作業台２を広範囲に昇降させることができる。
【００４７】
なお、Ｘ字型リンク枠５、６は、完全に開閉しきってしまうと、開から閉、閉から開へと戻す際の初期動力として大きな力が必要になる。このため、完全に開閉する少し手前で開閉を止めるストッパを設けておくことが好ましい。
【００４８】
本実施例では、閉方向は閉じきる前に内側の支点５２、６２、５４、６４が干渉するのでストッパは必要ないが、開方向は開ききる前にストッパが必要である。ただし、Ｘ型リンク５０、６０のＸの径の長さをフレーム３、４の長さよりも長くした場合のように、Ｘ字型リンク枠５、６が開ききる前にＸ字型リンク枠５、６どうしが干渉して動かなくなるのでストッパが必要ない場合もある。
【００４９】
（作業台の安定性について）
ここでＸ字型リンク枠５、６の開閉によって最上部の作業台２が常に水平に保たれる構造になっているかどうか確認する。まず、Ｘ字型リンク枠５、６は、前後で対となっている単体のＸ字型リンク５０、５０、６０、６０の先端どうしが少なくとも２つが連結されているので一体の枠構造と考えることができるため、前後の単体のＸ字型リンク５０、５０（６０、６０）どうしは同期がとれているといえる。
【００５０】
次に、第１のＸ字型リンク枠５と第２のＸ字型リンク枠６、すなわち、左右のＸ字型リンク枠５、６どうしの同期とり及び安定性について考察する。まず、上下フレームとＸ字型リンク枠との関係について考察する。交点を介して開閉する単体のＸは、開閉しても常にＸの先端の上どうし及び下どうしを結ぶ線は互いに平行線を形成する。従って、Ｘの上下にフレームを設ければ、この上下のフレームどうしは平行線を形成する。他方、この上下のフレームの延長線内に交点を介して開閉する同じ大きさのＸを設け、この２つのＸを左右に配し、左右の各Ｘの一方の上下の先端をフレームの外側端部に回転可能に取付け、もう一方の上下の先端をフレーム内側に沿って移動可能に取り付けると、左右のＸは上下のフレーム高に応じて全く同じ開閉度のＸとなる。つまり、Ｘは上下に平行なフレームを形成する性質から逆に平行な共通の上下フレーム間に左右に同じ大きさのＸを配すると、この左右のＸは同期することを見出した。従って、この構造をとる限り左右のＸは支持が頑丈であり、同期がとれているといえる。逆に言えば、これ以外の左右のＸの取付方法では、同期がとれなかったり、支持の安定性を欠いたりするなどの問題が生じる。
【００５１】
以下、図１０（ａ）〜図１０（ｄ）を参照しながら、具体的に説明する。
【００５２】
図１０（ａ）は、共通のフレームへの連結ではなく、２つの別々のフレームに連結している場合である。この場合、左右のＸ字型リンク枠が別々に動くため、フレーム間に段差が生じる場合がある。
【００５３】
図１０（ｂ）は、共通のフレームを用いるが、左右両側のＸ字型リンク枠の外側の支点を回転可能に取り付けるのではなく、左側のＸ字型リンク枠は外側の支点を回転可能に取り付け、右側のＸ字型リンク枠は内側の支点を回転可能に取り付ける場合である。左右のＸ字型リンク枠が別々の動きをするため、作業台が傾くようになる場合がある。
【００５４】
図１０（ｃ）は、共通のフレームを用いるが、左右両側のＸ字型リンク枠の内側の支点を回転可能に取り付け、外側の支点をスライド移動可能に取り付けた場合である。左右のＸ字型リンク枠は同じ動きをしようとするため、作業台が傾くことはない。しかし、Ｘ字型リンク枠が閉じた場合には、左右のＸ字型リンク枠が作業台の中央付近に集まるため、支持が中央寄りだけになり、作業台が不安定になる。
【００５５】
図１０（ｄ）は、共通のフレームを用いるが、左右のＸ字型リンク枠をあらかじめ交差させずに、Ｘ字型リンク枠の支点の移動範囲をフレームの中間位置を越えて、より閉じる側にもとれるようにした場合である。左右のＸ字型リンク枠が離れるため、一方のＸ字型リンク枠のみが閉じた状態で、他方のＸ字型リンク枠が開いたままになって、作業台が傾く場合がある。
【００５６】
このように、交差する左右のＸ字型リンク枠を設けて台の高さを変える場合、左右のＸ字型リンク枠の同期がとれて、作業台を水平に安定して支持できる条件には、以下のように３つの条件がある。
【００５７】
すなわち、図１１に示すように、（１）上下に左右のＸ字型リンク枠５、６にとって共通な上フレーム３及び下フレーム４を設けること、（２）左右それぞれのＸ字型リンク枠５、６は、フレーム３、４と外側の支点５１、５３、６１、６３において回転可能に取り付けられ、内側の支点５２、５４、６２、６４において、上フレーム３又は下フレーム４に沿って移動可能に取り付けられていること、（３）左右のＸ字型リンク枠５、６が、常に互いに交差していること、という条件がある。
【００５８】
これらの条件を満たせば、上下のフレーム３、４を介して左右のＸ字型リンク枠５、６は、互いに同期をとりつつ、上下のフレーム３、４を平行に保持した状態で昇降する。本実施例では、これらの条件を満たしている。
【００５９】
さらに、後述する作業台２の高さ調整機構によっても、左右のＸ字型リンク枠５、６が同期するように動かされるため、高さにかかわらず、いっそう作業台２の安定性が向上する。
【００６０】
また、上下のフレーム３、４の枠部材を、図１２に示すように、断面がコ字型（又はＨ字型）の溝レールとし、スライド支点が溝レールに嵌合してスライド移動するように構成することが好ましい。このようにすれば、Ｘ字型リンク枠５、６の移動する支点５２、５４、６２、６４が、フレーム３、４に対して沈んだり浮いたりせず、すべてのスライド支点５２、５４、６２、６４が、フレーム３、４に沿って水平に移動するため、上下フレーム３、４の平行が保たれる。このように、コ字型の溝レールは、最上部の作業台２を水平に安定的に保持する機能がある。
【００６１】
また、フレーム３、４としてコ字型（又はＨ字型）の溝レールを採用することによって、作業台２の傾きを防止できるだけでなく、Ｘ字型リンク枠５、６に故障が生じたときに、機構全体が動かなくなるため、安全機構としても機能する、という効果もある。
【００６２】
さらに、エレベータとして使用する場合は、昇降する作業台２が生み出す空間（昇降路）は、人間等が誤って入る空洞スペースを作らないことが法律によって規定されている。本実施例では、昇降する空間は、常に左右のＸ字型リンク枠５、６と上下のフレーム３、４が形成する枠構造によって囲まれているため、昇降路に入りにくい構造となっている。したがって、意識的に幅方向から出入りしない限り空洞スペースに人間等が入ることがないため安全である。また、必要に応じて幅形成面に障害面（板）を取り付け対応することもできる。
【００６３】
（作業台の高さ調整機構）
次に、Ｘ字型リンク枠５、６を開閉して最上部の作業台２の高さを調整する方法について説明する。
【００６４】
高さを調整する場合の条件としては、台の上に載った作業者が常に操作できる位置に高さ調整ツールが設置されていること、台の水平を保つために左右のＸ字型リンク枠５、６に同時に同等の動きをさせて同期をとること、が求められる。
【００６５】
これらの条件を満たす方法の一例として、本実施例では、図１３（ａ）、（ｂ）に示すように、作業台２が取り付けられる上フレーム３の短辺の中央に回転ハンドル付のネジ軸棒７を架け渡す手法を採用する。
【００６６】
ネジ軸棒７には、長さの中央位置を境にして半分に正方向のネジ溝が刻まれ、残り半分に逆方向のネジ溝が刻まれている。ネジ軸棒７の一方の端部には、ネジ軸棒７を手動で回転させるための回転手段としてのハンドル７１が取り付けられている。なお、回転手段としては、回転ハンドル７１ではなく、ペダルとラチェットを組み合わせてペダル操作によって歯車を回転させるように構成してもよい。また、電動モータやコントローラを用いることもできる。
【００６７】
さらに、前面側のＸ字型リンク５０、６０と背面側のＸ字型リンク５０、６０の先端どうしを接続する第１の軸５９及び第２の軸６９には、長さの中央位置にナット５８、６８が取り付けられている。ナット５８は、ネジ軸棒７の正方向のネジ溝に螺合し、ナット６８は、ネジ軸棒７の逆方向のネジ溝に螺合する。
【００６８】
したがって、ネジ軸棒７を正方向に回転させると、左右の第１の軸５９及び第２の軸６９が互いに近寄るように移動する。ネジ軸棒７を逆方向に回転させると、左右の第１の軸５９及び第２の軸６９が互いに遠ざかるように移動する。すなわち、ネジ軸棒７を正方向に回転させると作業台２が上昇し、ネジ軸棒７を逆方向に回転させると作業台２が下降する。
【００６９】
このように、ハンドル７１を回転させると、左右のＸ字型リンク枠５、６の先端の支点が常に同時かつ同じ幅だけ移動するので、左右のＸ字型リンク枠５、６は同期をとりながら開閉する。また、ハンドル７１の回転を止めると止めた位置でネジ軸棒７と螺合するナット５８、６８の移動も停止し、Ｘ字型リンク枠５、６の開閉が停止する。
【００７０】
作業者がこの作業台装置１を使用する際には、まず、折り畳まれている作業台装置１を作業場所まで運んだうえで、作業者が作業台２の上に載って、ハンドル７１を回して、又はペダルを操作して作業台２を作業しやすい高さまで上昇させる。次に、水平方向の移動については、作業台２上で横に移動することで対応するが、届かない場合にはいったん作業台２を下降させて、作業者が地上に下りてから作業台装置１を横に移動させる。なお、作業台装置１の下部にストッパ付の車輪を設けることで、横移動や運搬が容易になる。
【００７１】
また、この作業台装置１の全体を台車に載せることによって、作業台２が上昇・下降する台車として利用できる。この台車は、単体Ｘ字型リンク枠のみの構造の既存の昇降台車と比較して、台の高低差を大きくとれるほか、台の支持がより強く安定している。さらに、作業台装置１の安定性を高めるために、接地部分の前後左右に水平方向に突き出す突起又はアウトリガを設けることができる。使用時に突起又はアウトリガを突き出して接地面積を広げることによってさらに安定性を高めることができる。
【００７２】
（効果）
次に、実施例１の作業台装置１の効果を列挙して説明する。
【００７３】
（１）実施例１の作業台装置１は、高さ調整可能な作業台装置１であって、人又は物が載置される作業台２と、作業台を支持する上フレーム３と、上フレーム３の下方に配置される下フレーム４と、上フレーム３と下フレーム４とを連繋する、Ｘの交点を介して開閉する第１のＸ字型リンク枠５及び第２のＸ字型リンク枠６と、を備えている。そして、第１のＸ字型リンク枠と第２のＸ字型リンク枠とが、互いに交差できるように構成されている。
【００７４】
このような構成によって、作業に合わせて作業台２の高さを調整でき、かつ、作業に必要な幅と長さをもった作業台２を安定して支持できる。さらに、回転可能に支承する支点を外端部に取り付けることにより、交差するＸ字型リンク枠５、６の径の長さを、作業台２の長さ程度まで長くできるため、高低差を大きくとることができる。
【００７５】
（２）また、実施例１の作業台装置１は、上面視の図７（ａ）、（ｂ）に示すように、第１のＸ字型リンク枠５の奥行方向の幅は、第２のＸ字型リンク枠６の奥行方向の幅よりも広くされ、奥行方向でみて第１のＸ字型リンク枠５の内側で第２のＸ字型リンク枠６を開閉するようになっている。このため、簡易な構成によってＸ字型リンク枠５、６を交差させることができ、作業台２を安定して支持できるうえ、高低差を大きくとることができる。さらに、連結する軸の長さを除いて、第１のＸ字型リンク枠５と第２のＸ字型リンク枠６とを同じ形状にできる。
【００７６】
（３）さらに、実施例１の作業台装置１は、上面視の図８（ａ）、（ｂ）に示すように、第１のＸ字型リンク枠５の奥行方向の幅は、第２のＸ字型リンク枠６の奥行方向の幅と略同一にされ、互いに奥行方向にずれて配置されて開閉するようになっている。このため、簡易な構成によってＸ字型リンク枠５、６を交差させることができ、作業台２を安定して支持できるうえ、高低差を大きくとることができる。さらに、第１のＸ字型リンク枠５と第２のＸ字型リンク枠６とを同じ形状にできる。
【００７７】
（４）実施例１の作業台装置１は、具体的には、第１のＸ字型リンク枠５及び第２のＸ字型リンク枠６のそれぞれは、外側に配置される上下４つの支点５１、５１、５３、５３（６１、６１、６３、６３）がそれぞれ上フレーム３及び下フレーム４の外端部に回転可能に取り付けられ、内側に配置される上下４つの支点５２、５２、５４、５４（６２、６２、６４、６４）がそれぞれ上フレーム３及び下フレーム４に沿ってスライド可能に取り付けられている。そして、第１のＸ字型リンク枠５の内側の上下４つの支点５２、５２、５４、５４は、第２のＸ字型リンク枠６の内側の上下４つの支点６２、６２、６４、６４よりも第２のＸ字型リンク枠６の外側の支点６１、６１、６３、６３に近い側でスライド可能になっており、これによって第１のＸ字型リンク枠５と第２のＸ字型リンク枠６とが互いに交差するようになっている。
【００７８】
（５）また、２つのＸ字型リンク枠５、６が、第１のＸ字型リンク枠５の内側に配置される上下４つのスライド可能な支点５２、５４は、第２のＸ字型リンク枠６の内側に配置される上下４つのスライド可能な支点６２、６４と、あらかじめ交差させておくこと、及び、共通の溝に嵌め込まれることによって、第１のＸ字型リンク枠５の内側の上下４つの支点５２、５４は、第２のＸ字型リンク枠６の内側の上下４つの支点６２、６４よりも第１のＸ字型リンク枠５の外側の支点５１、５３に近い側に移動しないようになっている。したがって、２つのＸ字型リンク枠５、６が常に交差しており、左右に分離しないようになる。これによって、左右のＸ字型リンク枠５、６が同期をとりつつ昇降するようになる。
【００７９】
（６）さらに、作業台装置１は、前面側の第１のＸ字型リンク５０と背面側の第１のＸ字型リンク５０とを互いに接続する第１の軸５９と、前面側の第２のＸ字型リンク６０と背面側の第２のＸ字型リンク６０とを互いに接続する第２の軸６９であって、第１の軸５９とスライド方向に対称な位置に配置される第２の軸６９と、第１の軸５９に固定される第１のナット５８と、第２の軸６９に固定される第２のナット６８であって、第１のナット５８とスライド方向に対称な位置に配置される第２のナット６８と、第１のナット５８及び第２のナット６８に螺合するネジ軸棒７であって、長さの中央近傍でネジ溝が正方向から逆方向に反転しているネジ軸棒７と、ネジ軸棒７を回転させる回転手段としてのハンドル７１と、をさらに備えている。
【００８０】
これによって、ハンドル７１を回転させることで、左右のＸ字型リンク枠５、６は同期をとりつつ、第１の軸５９と第２の軸６９が互いにネジ軸棒７の中央に近寄ったり中央から離れたりして、作業台２を昇降させることができる。さらに、ハンドル７１の回転を抑止する回転抑止手段があれば、作業台２の昇降をいっそう確実に止めることができるため、ハンドル７１を作業台２の昇降をいっそう確実に抑止する昇降抑止手段として使用することもできる。
【実施例２】
【００８１】
以下、図１４−１８を用いて、実施例１で説明した作業台装置の一部を変更して組み合わせて構成される作業台装置の積層構造としてのエレベータ８について説明する。なお、実施例１で説明した内容と同一乃至均等な部分の説明については同一符号を付して説明する。
【００８２】
まず、構成について説明する。図１４に示すように、作業台装置８１、８２を積み重ねることによって、また、左右のＸが左右に分離できるようにして実施例１と比べていっそう広範囲に作業台２の高さを変えることができる。
【００８３】
また、上段の作業台装置８１の下部のスライド移動可能な支点５４、６４と、下段の作業台装置８２の上部のスライド移動可能な支点５２、６２と、をそれぞれ連結することが好ましい。このように連結することによって、上段の作業台装置８１のＸ字型リンク枠５、６と下段の作業台装置８２のＸ字型リンク枠５、６との同期がとれて全体の動作が安定する。
【００８４】
図１５（ａ）、（ｂ）に示すように、作業台装置８１、８２、・・・を数段積み重ねることによって、作業台装置の積層構造をエレベータ８として利用することもできる。この場合の動力としては、最下部にジャッキを配置して第１の中心軸５７などを持ち上げることもできるし、ワイヤ、プーリー、ギヤ、電動モータなどによってＸ字型リンク枠５、６の中心軸間の距離を水平方向に締め付けて、あるいは解放して左右Ｘ字型リンク枠を開閉することによってもよい。なお、図１５（ａ）では、１つのＸ字型リンク枠だけが存在しているように見えるが、これは左右２つのＸ字型リンク枠がほぼ重なっているためである。
【００８５】
本実施例の作業台装置１は、図１６（ａ）に示すように、第１のＸ字型リンク枠５と第２のＸ字型リンク枠６とが、交差もするが、交差せずにすり抜けて左右に離れる状態になるように構成されている。すなわち、まず上下のフレーム構造は、図１６（ｂ）、（ｃ）の断面図に示すように、Ｈ字型構造（内外のコ字型）の上フレーム３１、３２及び下フレーム４１、４２は、同じ高さの異なる面上に移動可能なＸの先端の受けレールを配置することにより、すり抜けが可能となる。
【００８６】
次に、本実施例のＸ字型リンク枠５、６は、互いにすり抜けて左右に離れるようにＸ字型リンク枠が配置構成されている。近接するＸ字型リンク枠５、６を干渉させず左右に離れるようにする方法はいくつかあるが、本実施例では図１７（ａ）、（ｂ）又は図１８（ａ）、（ｂ）のようにＸ字型リンク枠が配置された構造を採用する。
【００８７】
すなわち、図１７（ａ）、（ｂ）及び図１６（ｂ）に示すように、左右のＸ字型リンク枠５、６の幅（奥行方向）を変えて、一方を外枠とし、他方を内枠として、奥行方向でみて内枠が外枠の内側に入れる大きさとし、さらに対応するスライド支点を連結しない構成とするか、又は、図１８（ａ）、（ｂ）及び図１６（ｃ）に示すように、同じ幅（奥行方向）にする場合は左右のＸ字型リンク枠５、６をＸ字型リンク枠５、６の部材の太さ以上前後（奥行方向）にずらして配置し、さらに対応する一部のスライド支点を連結しない構成とする。このように、対応するスライド支点を軸によって連結しないようにすれば、軸が相互に干渉することがなくなるため、すり抜けることができるようになる。図１７（ａ）および図１８（ａ）は、Ｘ字型リンク枠が閉じた図であり、図１７（ｂ）および図１８（ｂ）はＸ字型リンク枠が開いた図である。
【００８８】
次に、効果について説明する。
【００８９】
（１）実施例２の作業台装置の積層構造としてエレベータ８は、第１の作業台装置８２の上フレーム３の上に、別の第２の作業台装置８１の下フレーム４を重ねて構成されている。
【００９０】
この構成によれば、エレベータ８は、単純な構造でありながらも、昇降する高さ範囲の広い構造となる。さらに、Ｘ字型リンク枠５、６を構成する１つ１つのリンク部材５５、５６、６５、６６として比較的剛性が小さく軽い部材を用いることができるから、従来のエレベータと比較して、軽量で簡易なエレベータとなる。
【００９１】
（２）第１の作業台装置８２の第１のＸ字型リンク枠５の内側の上側の支点５２は、第２の作業台装置８１の第１のＸ字型リンク枠５の内側の下側の支点５４と連繋されて一体にスライド移動するとともに、第１の作業台装置８２の第２のＸ字型リンク枠６の内側の上側の支点６２は、第２の作業台装置８１の第２のＸ字型リンク枠６の内側の下側の支点６４と連繋されて一体にスライド移動するようになっている。
【００９２】
したがって、作業台装置の積層構造を構成するすべての作業台装置８１、８２の第１及び第２のＸ字型リンク枠５、６どうしが同期をとって、作業台２を水平に保持しつつ、上下に昇降させることができる。さらに、多数の作業台装置を積層する場合には、１つの作業台装置を駆動することによって、連動してすべての作業台装置を駆動することができる。
【００９３】
なお、この他の構成および作用効果については、実施例１と略同様であるため説明を省略する。
【００９４】
（比較）
ここで、実施例１に示したようなＸ字型リンク枠５、６が常に交差しており交差しない状態を含まない構成（構成Ｉ）と、実施例２で示したようなＸ字型リンク枠５、６が交差しない状態を含む構成（構成ＩＩ）とを比較する。
【００９５】
まず、交差しない状態を含まない構成（構成Ｉ）について説明する。構成Ｉは、同期取りの完璧性が高く、従って台の安定性がどの高さでも高いことがメリットである。また、Ｘ字型リンク枠の完全な立方体枠化が可能なため、装置全体の強靭性が高いこともメリットである。構成ＩＩに比べて台の最高の高さが若干低く設定されることがデメリットである。
【００９６】
次に、交差しない状態を含む構成（構成ＩＩ）について説明する。構成ＩＩは、構成Ｉよりも、最高の高さを若干高くまで設定できることがメリットである。Ｘを閉にして最高に近づくとかなり鋭角になり、Ｘの開への戻しに大きな初期力が必要になることと、左右のＸの同期取りが構成Ｉに比べて低いので、若干の不安定リスクがあることがデメリットである。但し、コ字型（又はＨ字型）フレームの採用によってこのリスクは大幅に下げられる。また、第１、第２のＸ字型リンク枠の少なくとも一方は立方体枠の一部が開放されており、完全な立方体枠ではないため、構成Ｉに比べ若干強靭性が劣ることもデメリットである。
【実施例３】
【００９７】
次に、図１９（ａ）、（ｂ）、（ｃ）を用いて、実施例１、２で説明した作業台装置の積層構造としての仮設足場９について説明する。なお、実施例１、２で説明した内容と同一乃至均等な部分の説明については同一符号を付して説明する。
【００９８】
まず、構成について説明する。本実施例の作業台装置の積層構造としての仮設足場９は、単位構造である作業台装置１を縦方向（鉛直方向）および横方向（水平方向）に複数並設して構成されるものである。具体的には、縦４連、横３連の構造となっている。単位構造である作業台装置１どうしは、接続金具などによって互いに連結されており、相互に安定性を高めるようにされている。そして、作業員が歩行するための足場板９１、・・・が各段に配置され、最上段には手摺が配置されている。また、作業する方向に補助用の足場板９１１を突出させてもよい。また、本実施例では、作業員が歩行する際の支障となるため、Ｘ字型リンク枠の前後を接続する中心軸５７、６７（図５参照）はないが、前後それぞれのリンク部材がそれぞれ回転する構造となっている（図１９（ｃ）参照）。さらに、最下部に位置する単位構造（作業台装置１）には、設置場所の不陸、高さの不揃いを調整する調整手段としてジャッキベースが取り付けられる。
【００９９】
次に、仮設足場９の設置手順について説明する。まず、作業台装置１を縦に４つ積み重ねて連結した積層体を３組準備して現場に運搬する。次に、３組の積層体を横に並べて地上に設置する。この際、最下部に位置する単位構造のジャッキベースを用いて、隣接する積層体と高さを揃えておく。最後に、３組それぞれを立上げて高さを揃え、連結用の金具などによって横の組と連結して設置が完了する。上記の設置手順によると、現場へ積層体を運搬した後、短時間で仮設足場９を設置することができる。
【０１００】
本実施例の仮設足場９では、作業台装置１が昇降する機能を利用するというよりも、むしろ一定の高さに固定した台として使用するものである。現行の仮設足場の設定時間と比べて大幅な時間短縮が図れる。すなわち、現行の仮設足場（枠組足場：鳥居型建て枠、筋交い、鋼製布板、ジャッキベース等で構成される）と比べると、部品点数が少なく（本実施例の仮設足場９は単位構造から構成されるため）、全体の組み立ても簡単であるため、きわめて短時間で設置できる。
【０１０１】
なお、この他の構成および作用効果については、実施例１、２と略同様であるため説明を省略する。
【０１０２】
以上、図面を参照して、本発明の実施例を詳述してきたが、具体的な構成は、この実施例に限らず、本発明の要旨を逸脱しない程度の設計的変更は、本発明に含まれる。
【０１０３】
例えば、実施例２の作業台装置１は、第１のＸ字型リンク枠５と第２のＸ字型リンク枠６とが、交差せずに左右に離れる状態になるように構成する場合について説明したが、これに限定されるものではない。実施例２の作業台装置１として、実施例１の作業台装置１のように、常に交差しており交差しない状態にならない構成を採用することもできる。
【０１０４】
さらに、実施例１、２の作業台装置又は作業台装置の積層構造は、作業台やエレベータとして使用する場合について説明したが、これに限定されるものではなく昇降台車、又は、仮設足場（実施例３）としても利用できる。
【０１０５】
また、実施例２では、作業台装置を２つ又は３つ重ねる場合について説明したが、これに限定されるものではなく、４つ以上重ねてもよい。
【０１０６】
さらに、作業台装置は２つのＸ字型リンク枠５、６を横に並べた構成に限定されず、２つのＸ字型リンク枠５、６を１組として、２組以上のＸ字型リンク枠を横に並べるものであってもよい。
【０１０７】
また、実施例２では、上下同一形状の作業台装置８１、８２を用いる場合について説明したが、これに限定されるものではなく、各層ごとのリンク部材の長さが異なる作業台装置を積層することもできる。
【０１０８】
なお、実施例３では、設置手順において縦４連の積層体を運搬するものとして説明したが、これに限定されるものではない。単位構造（作業台装置１）ごとに運搬して現場で組み立てることもできる。そうすることで、下層から順に組み上げていくことができ、手作業で仮設足場９（枠組足場）を組み上げることができる。
【符号の説明】
【０１０９】
１          作業台装置
２          作業台
３          上フレーム
４          下フレーム
５          第１のＸ字型リンク枠
５１、５２  支点
５３、５４  支点
５７        第１の中心軸
５８        ナット
５９        第１の軸（スライド軸）
６          第２のＸ字型リンク枠
６１、６２  支点
６３、６４  支点
６７        第２の中心軸
６８        ナット
６９        第２の軸（スライド軸）
７          ネジ軸棒
７１        ハンドル
８          エレベータ
８１        作業台装置（上段）
８２        作業台装置（下段）
９          仮設足場
【図１】
2015127262.tif 000003
【図２】
2015127262.tif 000004
【図３】
2015127262.tif 000005
【図４】
2015127262.tif 000006
【図５】
2015127262.tif 000007
【図６】
2015127262.tif 000008
【図７】
2015127262.tif 000009
【図８】
2015127262.tif 000010
【図９】
2015127262.tif 000011
【図１０】
2015127262.tif 000012
【図１１】
2015127262.tif 000013
【図１２】
2015127262.tif 000014
【図１３】
2015127262.tif 000015
【図１４】
2015127262.tif 000016
【図１５】
2015127262.tif 000017
【図１６】
2015127262.tif 000018
【図１７】
2015127262.tif 000019
【図１８】
2015127262.tif 000020
【図１９】
2015127262.tif 000021
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
高さ調整可能な作業台装置であって、
人又は物が載置される作業台と、
前記作業台を支持する上フレームと、
前記上フレームの下方に配置される下フレームと、
前記上フレームと前記下フレームとを連繋する、Ｘの交点を介して開閉する第１のＸ字型リンク枠及び第２のＸ字型リンク枠と、を備え、
前記第１のＸ字型リンク枠と前記第２のＸ字型リンク枠とが、互いに交差できるように構成され、
前記第１のＸ字型リンク枠の奥行方向の幅は、前記第２のＸ字型リンク枠の奥行方向の幅よりも広くされ、奥行方向で前記第１のＸ字型リンク枠の内側において前記第２のＸ字型リンク枠が開閉するようになっている、作業台装置。
【請求項２】
高さ調整可能な作業台装置であって、
人又は物が載置される作業台と、
前記作業台を支持する上フレームと、
前記上フレームの下方に配置される下フレームと、
前記上フレームと前記下フレームとを連繋する、Ｘの交点を介して開閉する第１のＸ字型リンク枠及び第２のＸ字型リンク枠と、を備え、
前記第１のＸ字型リンク枠と前記第２のＸ字型リンク枠とが、互いに交差できるように構成され、
前記第１のＸ字型リンク枠の奥行方向の幅は、前記第２のＸ字型リンク枠の奥行方向の幅と略同一にされ、互いに奥行方向にずれて配置され、開閉するようになっている、作業台装置。
【請求項３】
前記第１のＸ字型リンク枠及び前記第２のＸ字型リンク枠のそれぞれは、外側に配置される上下４つの支点がそれぞれ前記上フレーム及び前記下フレームに回転可能に取り付けられ、内側に配置される上下４つの支点がそれぞれ前記上フレーム及び前記下フレームに沿ってスライド可能に取り付けられ、
前記第１のＸ字型リンク枠の内側の上下４つの支点は、前記第２のＸ字型リンク枠の内側の上下４つの支点よりも前記第２のＸ字型リンク枠の外側の上下４つの支点に近い側でスライド可能になっているとともに、
前記第２のＸ字型リンク枠の内側の上下４つの支点は、前記第１のＸ字型リンク枠の内側の上下４つの支点よりも前記第１のＸ字型リンク枠の外側の上下４つの支点に近い側でスライド可能になっている、請求項１又は請求項２に記載の作業台装置。
【請求項４】
第１の作業台装置の上フレームの上に、第２の作業台装置の下フレームを重ねて構成される、作業台装置の積層構造であって、
前記第１の作業台装置及び前記第２の作業台装置は、それぞれ、
高さ調整可能な作業台装置であって、人又は物が載置される作業台と、前記作業台を支持する上フレームと、前記上フレームの下方に配置される下フレームと、前記上フレームと前記下フレームとを連繋する、Ｘの交点を介して開閉する第１のＸ字型リンク枠及び第２のＸ字型リンク枠と、を備え、前記第１のＸ字型リンク枠と前記第２のＸ字型リンク枠とが、互いに交差できるように構成され、
前記第１の作業台装置の前記第１のＸ字型リンク枠の内側の上側の支点は、前記第２の作業台装置の前記第１のＸ字型リンク枠の内側の下側の支点と連繋されて一体にスライド移動し、
前記第１の作業台装置の前記第２のＸ字型リンク枠の内側の上側の支点は、前記第２の作業台装置の前記第２のＸ字型リンク枠の内側の下側の支点と連繋されて一体にスライド移動する、作業台装置の積層構造。
【請求項５】
請求項１又は請求項２に記載された第１の作業台装置の上フレームの上に、請求項１又は請求項２に記載された第２の作業台装置の下フレームを重ねて構成される、作業台装置の積層構造であって、
前記第１の作業台装置の前記第１のＸ字型リンク枠の内側の上側の支点は、前記第２の作業台装置の前記第１のＸ字型リンク枠の内側の下側の支点と連繋されて一体にスライド移動し、
前記第１の作業台装置の前記第２のＸ字型リンク枠の内側の上側の支点は、前記第２の作業台装置の前記第２のＸ字型リンク枠の内側の下側の支点と連繋されて一体にスライド移動する、作業台装置の積層構造。